(57)【要約】【課題】地震時に、テーブルの転倒および移動を生ずることなく、また椅子の飛び込みからも机下に退避した人を確実に防護することができる防災テーブルを得る。【解決手段】防災テーブル１は、脚枠構体２および天板３よりなるテーブル本体と、平素は着床しないよう机本体に回動可能に取り付けるボックス状底板５であって、底面に摩擦係数の高い滑り止め部材９を有し、地震のとき机の下に退避した児童または生徒または一般人の体全体の荷重が加わるときフロアに着床するとともに、脚枠構体２を床面に押し付けるよう構成した該ボックス状底板５と、平素は着席に支障がない非着床状態にボックス状底板５を保持するラッチ手段７と、およびラッチ釈放手段８とを備える。ラッチ釈放手段８を操作することによりラッチ７を釈放し、ボックス状底板５を着床させ、ボックス状底板５に設けたフック６がサイドステー２Ａを介して脚枠構体２を床面に押し付ける。【選択図】図３
2011224155.tif 000002
【特許請求の範囲】
【請求項１】
防災テーブルにおいて、
脚枠構体および天板よりなるテーブル本体と、
平素は着床しないよう前記机本体に可動式に設ける底板であって、底面に摩擦係数の高い滑り止め部材を有し、地震のときテーブルの下に退避した人の体全体の荷重が加わるときフロアに着床するとともに、前記脚枠構体を床面に押し付けるよう構成した該底板と、
平素は人の着席に支障がない非着床状態に前記底板を保持する底板着床抑止手段と
を備えた防災テーブルにおいて、
前記底板を、脚枠構体２の左右における各脚部対の脚部相互間を下方部分で連結するサイドステーの高さに相当する高さを有し、また脚枠構体の内法幅より僅かに小さい内法幅を有するボックス状底板とし、
前記ボックス状底板を左右の脚部対における各前方脚部の下方部分にそれぞれ回動自在に連結し、
前記ボックス状底板の後方の左右両側側面で、前記１対のサイドステーにそれぞれ係合可能なフックを有するフック手段を設け、
前記脚枠構体には、前記底板着床抑止手段として、平素は前記フック手段の少なくとも一方のフックに釈放可能に係合して前記ボックス状底板を倒した状態から前方に立て掛ける状態に保持するラッチ手段を設け、さらに前記脚枠構体には、緊急時に前記ラッチ手段を釈放するラッチ釈放手段を設けた
ことを特徴とする防災テーブル。
【請求項２】
前記ラッチ手段は、ばね負荷で平素突出状態に押圧され、フック内面に係合可能な垂直面を有するラッチであって、ボックス状底板を倒した状態から前方に立て掛けるときフック外面に係合してばね負荷が屈してラッチを後退させる傾斜カム面を有するばね負荷ラッチを有する構成とした請求項１記載の防災テーブル。
【請求項３】
前記ボックス状底板の後方部分に、椅子脚の底部にフット部分を有する椅子の前記フット部分を覆う張り出しカバーを設けた請求項１または２記載の防災テーブル。
【請求項４】
前記ボックス状底板を、防災グッズ等の物入れとして利用可能に構成した請求項１〜３のうちいずれか一項に記載の防災テーブル。
【発明の詳細な説明】
【技術分野】
【０００１】
本発明は、幼稚園または学校で使用される教室机、とくに地震のとき机の下に退避した児童または生徒を防護することができる教室机、または一般家庭、事務所等でも利用可能な防災テーブルに関する。
【背景技術】
【０００２】
近年の教室机では、体をぶつけたとき、机が動くことにより児童または生徒の体にけががないように、また掃除等で容易に移動できるようにという配慮からもともと軽量化設計がなされている。
【０００３】
一方、近年、幼稚園、学校での防災訓練においては、緊急地震速報で初期振動（Ｐ波）感知警報が発せられた場合、机の下に退避するようにとの指導がなされている。
しかし、このような地震が発生した場合、机の下に退避したとしても、机が軽量化されているため、机そのものが暴走したり、転倒したりしてしまい、落下物等から机によって児童または生徒を守るという初期の目的が果たせない可能性がある。
【０００４】
このため、本願人は、このような地震の際に退避防護可能な教室机として、脚枠構体および天板よりなる机本体と、平素は着床しないよう前記机本体に可動式に設ける底板であって、底面に摩擦係数の高い滑り止め部材を有し、地震のとき机の下に退避した人の体全体の荷重が加わるときフロアに着床するとともに、前記脚枠構体を床面に押し付けるよう構成した該底板と、平素は人の着席に支障がない非着床状態に前記底板を保持する底板着床抑止手段とを備えた教室机を提案した。（特許文献１参照。）
【先行技術文献】
【特許文献】
【０００５】
【特許文献１】特開２００９‐２１３６５２号公報
【発明の概要】
【発明が解決しようとする課題】
【０００６】
しかし、この本願人による特許文献１に記載の先願発明における教室机の場合、地震の際に机の下に入り込んでも、机下に椅子が飛び込むのを回避する対策がなされていなかった。
【０００７】
したがって、本発明の目的は、大きな地震でも、力を加える必要なく、机の転倒および移動を生ずることなく、机の下に退避した生徒を確実に防護することができ、椅子が机下に飛び込むのを回避することができる、教室机を含めた防災テーブルを得るにある。
【課題を解決するための手段】
【０００８】
この目的を達成するため、本発明防災テーブルは、前記底板を、脚枠構体２の左右における各脚部対の脚部相互間を下方部分で連結するサイドステーの高さに相当する高さを有し、また脚枠構体の内法幅より僅かに小さい内法幅を有するボックス状底板とし、
前記ボックス状底板を左右の脚部対における各前方脚部の下方部分にそれぞれ回動自在に連結し、
前記ボックス状底板の後方の左右両側側面で、前記１対のサイドステーにそれぞれ係合可能なフックを有するフック手段を設け、
前記脚枠構体には、前記底板着床抑止手段として、平素は前記フック手段の少なくとも一方のフックに釈放可能に係合して前記ボックス状底板を前方に立て掛ける状態に保持するラッチ手段を設け、さらに前記脚枠構体には、緊急時に前記ラッチ手段を釈放するラッチ釈放手段を設けた
ことを特徴とする。
【発明の効果】
【０００９】
本発明防災テーブルによれば、緊急地震速報で初期振動（Ｐ波）感知警報が発せられた場合、児童または生徒または一般人は、ボックス状底板上に座り込むことにより、児童または生徒または一般人の全体重がボックス状底板に加わり、またボックス状底板のフック手段が脚枠構体を床面に押し付けるとともに、ボックス状底板底面の滑り止め部材によって、防災テーブルは床面にしっかりと保持され、児童または生徒または一般人を確実に落下物から防護することができる。
また、児童または生徒または一般人が椅子の脚を手で引き寄せるとき、椅子の脚はボックス状底板の前面に衝合し、それ以上椅子が机下に入り込むことを阻止し、かつこの引き寄せた椅子が他の飛散物から机下の人物を防護することができる。
さらに、通常時にはボックス状底板は、前方に立て掛けたときフック手段によりこの立て掛け状態に保持され、ボックス状底板の滑り止め部材が床面に接触しないため、例えば、室内掃除のときの移動が可能である。
【００１０】
本発明の好適な実施形態においては、ラッチ手段は、ばね負荷で平素突出状態に押圧され、フック内面に係合可能な垂直面を有するラッチであって、ボックス状底板を倒した状態から前方に立て掛けるときフック外面に係合してばね負荷が屈してラッチを後退させる傾斜カム面を有するばね負荷ラッチを有する構成とする。
この構成によれば、ボックス状底板を倒した状態から立て掛けるとき、ボックス状底板のフック外面をばね負荷ラッチの傾斜カム面に押し付け、ばね負荷ラッチを後退させ、フック外面が傾斜カム面を通りすぎたとき、ばね負荷でばね負荷ラッチが初期状態に復帰し、ばね負荷ラッチの垂直面がフック内面に係合して自動的にラッチすることができる。
【００１１】
さらに、本発明の好適な実施形態においては、ボックス状底板の後方（椅子側）部分に、椅子脚の底部にフット部分を有する椅子の前記フット部分を覆う張り出しカバーを設ける。
この構成によれば、張り出しカバーが椅子のフット部分を上方から覆って、椅子の転倒を確実に防止することができる。
【００１２】
本発明の他の好適な実施形態においては、ボックス状底板を、防災グッズ等の物入れとして利用可能に構成する。この構成によれば、例えば、机下にもぐる前に防災頭巾を取り出して被り、被災後に非常食等を取り出して、飢えや渇きをしのぐことができるようになる。
【００１３】
次に、図面につき本発明の好適な実施例を説明する。
【図面の簡単な説明】
【００１４】
【図１】本発明による好適な実施形態における防災テーブル１の、地震が起きたときにボックス状底板を倒し、椅子を前向きのまま引き寄せた使用状態を示す右側方から見た斜視図である。
【図２】図１に示す防災テーブル１の、地震が起きたときにボックス状底板を倒し、椅子を後ろ向きにして引き寄せた使用状態を示す右側方から見た斜視図である。
【図３】図１に示す防災テーブル１の、平素、ボックス状底板を立て掛け、ラッチ手段によりこの状態に係止した状態を示す、右側方から見た斜視図である。
【図４】図３の一部の詳細拡大斜視図である。
【図５】図１に示す防災テーブル１の、平素、ボックス状底板を立て掛け、ラッチ手段によりこの状態に係止した状態を示す、後方から見た斜視図である。
【発明を実施するための形態】
【００１５】
図１は、本発明による好適な実施形態における防災テーブル１の使用状態の斜視図を示す。この防災テーブル１は、脚枠構体２、この脚枠構体２の上方に設ける天板３、脚枠構体２と天板３との間に設ける物入れとしての棚板４とを有する。
【００１６】
この実施形態においては、脚枠構体２の左右における各脚部対の脚部相互間を下方部分で連結するサイドステー２Ａの高さに相当する高さを有し、また脚枠構体の内法幅より僅かに小さい内法幅を有するボックス状底板５を設け、ボックス状底板５を左右の脚部対における各前方脚部２ａの下方部分に、それぞれ枢着ピン２ｂの周りに回動自在に連結する。このボックス状底板５の後方の左右両側側面で、前記１対のサイドステーにそれぞれ係合可能な左右のフック６を有するフック手段を設ける。これら左右のフック６は、それぞれ、左右のサイドステー２Ａに係合するコの字状フック先端を有する。
【００１７】
脚枠構体２には、平素は人の着席に支障がない非着床状態にボックス状底板５を保持する底板着床抑止手段として、平素はフック手段の少なくとも一方のフック６に釈放可能に係合してボックス状底板５を前方に立て掛ける状態に保持するラッチ７を有するラッチ手段、および緊急時に前記ラッチ手段を釈放するラッチ釈放手段８を設ける。図示の実施例では脚枠構体２の右側にのみ、フック６およびラッチ７を設けたが、両側に設けることもできる。
【００１８】
ラッチ手段のラッチ７は、図４に示すように、ばね負荷（図示せず）で平素突出状態に押圧され、フック内面に係合可能な垂直面７Ａを有し、ボックス状底板を倒した状態から前方に立て掛けるときフック外面に係合してばね負荷が屈してラッチを後退させる傾斜カム面７Ｂを有するばね負荷ラッチとして構成とする。
【００１９】
ラッチ釈放手段８は、例えば、ラッチ７のばね負荷のばね力に抗してラッチを引き上げるよう、一方の端部をラッチ７に連結し、他方の端部につまみ８Ａを取り付けたケーブル手段８Ｂとすることができる。左右にラッチ７を設ける場合、ケーブル手段は、つまみ８Ａから延びる第１ケーブル部分と、この第２ケーブル部分から２股に分かれる第２分岐ケーブル部分とを有し、第２分岐ケーブル部分の末端をそれぞれラッチ７に連結する。
【００２０】
ボックス状底板５の底面には、摩擦係数の高い滑り止め部材９を設ける（図５参照）。この滑り止め部材９は、任意の摩擦係数の高い部材とすることができるが、粘着エラストマー材料のマットまたはシートとすると好適である。
【００２１】
地震時に、ラッチ釈放手段８のつまみ８Ａを引っ張り、ラッチ７を釈放することにより、ボックス状底板５はフロアに着床する。この後机下に入った児童または生徒または人が、椅子１０を図１または図２のように引き寄せる。図１は、椅子１０を前向きのまま引き寄せた使用状態を示し、図２は、椅子１０を後ろ向きにして引き寄せた使用状態を示す。図示の椅子１０は、椅子脚の底部にフット部分１０Ａを有する椅子として示す。図２に示すように、地震時に、椅子１０を後向きにして引き寄せて使用すると、飛散物からの防護効果が高い。
【００２２】
図１および図２の実施形態において、ボックス状底板５は、後方部分に、このような椅子のフット部分１０Ａを覆う張り出しカバー５Ａを設けたものとして構成する。椅子１０が、このようなフット部分１０Ａを持たない椅子である場合、ボックス状底板５には張り出しカバー５Ａを設ける必要はない。フット部分１０Ａを持たない椅子である場合、机下避難した児童または生徒または人が椅子を引き寄せるとき椅子の脚の部分がボックス状底板５の前面５Ｂに衝合して、椅子１０はこれ以上机下に入り込むことができない。フット部分１０Ａを持つ椅子である場合、図１に示すように、フット部分１０Ａの先端部がボックス状底板５の前面５Ｂに衝合し、また張り出しカバー５Ａにおける後方（椅子側）の上側端縁に椅子１０の左右の脚部１０Ｂが衝合し、これ以上机下に入り込むことができないようになるとともに、張り出しカバー５Ａが、椅子の転倒を防止するよう機能する。
【００２３】
好適な実施形態においては、ボックス状底板５を、防災グッズ等の物入れとして利用可能に構成する。この構成によれば、ボックス状底板５内に、例えば、防災頭巾、非常食、懐中電灯等を入れておき、実際の地震時には机下にもぐる前に防災頭巾を取り出して被り、万が一の激甚被害を被った場合、非常食等を取り出して、飢えや渇きをしのぐことができ、また暗闇では懐中電灯を点灯して不安を和らげることができるようになる。
【産業上の利用可能性】
【００２４】
本発明防災テーブルは、幼稚園、小学校、中学校等の教室机、または一般家庭もしくは事務所のテーブルとして利用することができ、地震の際に警報が発せられたとき、児童または生徒または一般人が机下に退避してボックス状底板上に座り込むことにより、着床したボックス状底板がテーブルをフロア面にしっかりと固定し、テーブルが転倒および移動することなく、落下物または椅子等の飛散物から確実に体を防護できる。
【符号の説明】
【００２５】
１  防災テーブル
２  脚枠構体
２Ａ  サイドステー
２ａ  前方脚部
２ｂ  枢着ピン
３  天板
４  棚板
５  ボックス状底板
５Ａ  張り出しカバー
６  フック
７  ラッチ
７Ａ  垂直面
７Ｂ  傾斜カム面
８  ラッチ釈放手段
８Ａ  つまみ
８Ｂ  ケーブル手段
９  滑り止め部材
１０  椅子
１０Ａ  フット部分
１０Ｂ  脚部
【図１】
2011224155.tif 000003
【図２】
2011224155.tif 000004
【図３】
2011224155.tif 000005
【図４】
2011224155.tif 000006
【図５】
2011224155.tif 000007